(57)【要約】【課題】ランダムアクセス通信用無線チャネルの使用効率を向上させる。【解決手段】移動局２０は、ランダムアクセスデータの送信中に、送信継続要求信号を基地局１０に対して送信する。基地局１０は、移動局２０から送信継続要求信号を受信すると、現在の通信状況に応じて、ランダムアクセスデータの送信継続を許可するか否かを判定し、許可する場合は送信継続許可信号を移動局２０に対して送信する。移動局２０は、基地局１０から送信継続許可信号を受信すると、ランダムアクセスデータの送信を継続する。【選択図】図４
2008124800.tif 000002
【特許請求の範囲】
【請求項１】
基地局と、前記基地局に対してランダムアクセス通信を行う複数の移動局とを有してなる移動通信システムにおけるランダムアクセス通信方法であって、
前記移動局が、ランダムアクセスデータの送信中に、前記ランダムアクセスデータの送信継続を要求する送信継続要求信号を前記基地局に対して送信する要求ステップと、
前記基地局が、前記移動局から前記送信継続要求信号を受信した場合に、現在の通信状況に応じて、前記ランダムアクセスデータの送信継続を許可するか否かを判定する判定ステップと、
前記基地局が、前記ランダムアクセスデータの送信継続を許可するか否かに応じて、送信継続許可信号または送信継続不許可信号を前記移動局に対して送信する許可ステップと、
前記移動局が、前記基地局から前記送信継続許可信号を受信した場合に、前記ランダムアクセスデータの送信を継続する継続ステップとを有する、ランダムアクセス通信方法。
【請求項２】
前記要求ステップでは、前記ランダムアクセスデータの送信に用いている無線チャネル以外の別の無線チャネルを用いて、前記送信継続要求信号を送信する、請求項１に記載のランダムアクセス通信方法。
【請求項３】
前記要求ステップでは、前記ランダムアクセスデータの送信に用いている無線チャネルを用いて、前記送信継続要求信号を前記ランダムアクセスデータの途中に埋め込んで送信する、請求項１に記載のランダムアクセス通信方法。
【請求項４】
前記判定ステップでは、現在の通信状況を、前記送信継続要求信号の送信元の移動局以外の別の移動局からの、前記ランダムアクセスデータの送信開始を要求する送信開始要求信号の受信状況を基に判断する、請求項１に記載のランダムアクセス通信方法。
【請求項５】
前記判定ステップでは、現在の通信状況を、前記送信継続要求信号の送信元の移動局から受信した前記ランダムアクセスデータの受信品質を基に判断する、請求項１に記載のランダムアクセス通信方法。
【請求項６】
前記判定ステップでは、現在の通信状況を、前記送信継続要求信号の送信元の移動局から受信した前記ランダムアクセスデータのデータ量を基に判断する、請求項１に記載のランダムアクセス通信方法。
【請求項７】
基地局と、前記基地局に対してランダムアクセス通信を行う複数の移動局とを有してなる移動通信システムであって、
前記移動局は、
前記基地局と無線通信を行う移動局通信部と、
ランダムアクセスデータの送信中に、前記移動局通信部を制御して、前記ランダムアクセスデータの送信継続を要求する送信継続要求信号を前記基地局に対して送信し、前記基地局からの前記ランダムアクセスデータの送信継続を許可する送信継続許可信号が前記移動局通信部に受信された場合に、前記移動局通信部を制御して、前記ランダムアクセスデータの送信を継続する移動局ランダムアクセス制御部とを有し、
前記基地局は、
前記移動局と無線通信を行う基地局通信部と、
前記移動局からの前記送信継続要求信号が前記基地局通信部に受信された場合に、現在の通信状況に基づいて前記ランダムアクセスデータの送信継続を許可するか否かを判定し、送信継続を許可するか否かに応じて、前記基地局通信部を制御して、送信継続許可信号または送信継続不許可信号を前記移動局に対して送信する基地局ランダムアクセス制御部とを有する、移動通信システム。
【請求項８】
前記移動局ランダムアクセス制御部は、前記移動局通信部を制御して、前記ランダムアクセスデータの送信に用いている無線チャネル以外の別の無線チャネルを用いて、前記送信継続要求信号を送信する、請求項７に記載の移動通信システム。
【請求項９】
前記移動局ランダムアクセス制御部は、前記移動局通信部を制御して、前記ランダムアクセスデータの送信に用いている無線チャネルを用いて、前記送信継続要求信号を前記ランダムアクセスデータの途中に埋め込んで送信する、請求項７に記載の移動通信システム。
【請求項１０】
前記基地局ランダムアクセス制御部は、現在の通信状況を、前記送信継続要求信号の送信元の移動局以外の別の移動局からの、前記ランダムアクセスデータの送信開始を要求する送信開始要求信号の受信状況を基に判断する、請求項７に記載の移動通信システム。
【請求項１１】
前記基地局ランダムアクセス制御部は、現在の通信状況を、前記送信継続要求信号の送信元の移動局から受信した前記ランダムアクセスデータの受信品質を基に判断する、請求項７に記載の移動通信システム。
【請求項１２】
前記基地局ランダムアクセス制御部は、現在の通信状況を、前記送信継続要求信号の送信元の移動局から受信した前記ランダムアクセスデータのデータ量を基に判断する、請求項７に記載の移動通信システム。
【発明の詳細な説明】
【技術分野】
【０００１】
本発明は、移動通信システムにおけるランダムアクセス通信用無線チャネルの使用効率を向上させる技術に関する。
【背景技術】
【０００２】
昨今、携帯電話システムなどの移動通信システムを流れる情報の主役は、音声からパケットデータに移りつつある。これは、携帯電話が高機能化され、サイト閲覧、電子メール、カメラ、音楽／動画再生といった機能が次々と追加されたことに伴い、これらの機能に関連したデータがネットワーク上を大量に流れるようになったためである。
【０００３】
このようなパケットデータを携帯電話などの移動局から基地局に送信するために、多くの移動通信システムでは、ランダムアクセス通信方式を用いている。ランダムアクセス通信方式は、音声通話のように常に送信すべき情報があるわけではない通信に適している。
【０００４】
ランダムアクセス通信方式では、周波数、タイムスロット、拡散符号などによって決まる１つの無線チャネルを複数の移動局で共有する（例えば、特許文献１〜４参照）。そのため、特定の移動局が長時間無線チャネルを占有するのを防ぐために、移動局は、ランダムアクセスデータが大きなサイズであれば、予め決められた一定データ長に分割し、分割されたランダムアクセスデータを時間をおいて基地局に対して送信する。
【０００５】
例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の移動通信システムでは、ランダムアクセス通信用無線チャネルとして、ＰＲＡＣＨ（Ｐｈｙｓｉｃａｌ  Ｒａｎｄｏｍ  Ａｃｃｅｓｓ  Ｃｈａｎｎｅｌ）と呼ばれる無線チャネルが用意されている。
【０００６】
ここで、従来の移動通信システムにおけるランダムアクセス通信方法について、図７および図８を参照して説明する。
【０００７】
図７および図８を参照すると、移動局は、基地局に対して送信すべきランダムアクセスデータが発生すると（ステップ８０１）、ランダムアクセスデータの送信前に、基地局との間で予め決められた送信開始要求信号を基地局に対して送信する（ステップ８０２）。
【０００８】
基地局は、移動局から送信開始要求信号を受信した場合（ステップ８０３）、ランダムアクセスデータの送信を許可するか否かを判定し（ステップ８０４）、その判定結果に応じて送信開始許可信号または送信開始不許可信号を移動局に対して送信する（ステップ８０５，８０６）。
【０００９】
移動局は、基地局から送信開始不許可信号を受信した場合や（ステップ８０７。図７の状況（Ａ）の場合）、一定時間が経過しても基地局から送信開始許可信号を受信できない場合は（ステップ８０９）、基地局から送信開始許可信号を受信できるまで、基地局に対して繰り返し送信開始要求信号を送信する。
【００１０】
一方、移動局は、基地局から送信開始許可信号を受信した場合は（ステップ８０８。図７の状況（Ｂ）の場合）、基地局に対して、一定データ長のランダムアクセスデータの送信を開始し（ステップ８１０）、基地局は、ランダムアクセスデータの受信処理を行う（ステップ８１１）。
【００１１】
移動局は、一定データ長のランダムアクセスデータの送信を完了した場合は（ステップ８１２）、一旦送信を停止する（ステップ８１３）。その際、まだ移動局にランダムアクセスデータが残っている場合は（ステップ８１４）、再び基地局から送信開始許可信号を受信できるまで、基地局に対して繰り返し送信開始要求信号を送信する。
【００１２】
以降、以上の処理が繰り返され、移動局からランダムアクセスデータが無くなった時点で、ランダムアクセスデータの送信が完了する（ステップ８１５）。
【特許文献１】特開平８−１８１６４５号公報
【特許文献２】特開平９−２００８４８号公報
【特許文献３】特開平１０−１７３５８４号公報
【特許文献２】特開２００５−１０１９９０号公報
【発明の開示】
【発明が解決しようとする課題】
【００１３】
上述したように従来のランダムアクセス通信方法においては、移動局から基地局に対して一定データ長のランダムアクセスデータを送信する度に、移動局と基地局との間で送信開始の許可／不許可についてやり取りをしなければならないが、このやり取りが行われている時間に、どの移動局もランダムアクセスデータを送信していない場合もありうる。
【００１４】
しかしながら、日々増大するパケットデータを効率良く送信するためには、ランダムアクセス通信用無線チャネルを効率的に使用して、どの携帯端末もデータを送信していない時間をできるだけ減らす必要がある。また、移動局側には、ランダムアクセスデータをできるだけ早く送信したいという要求もある。
【００１５】
そこで、本発明の目的は、ランダムアクセス通信用無線チャネルの使用効率を向上させることができる、移動通信システムにおけるランダムアクセス通信方法、移動通信システムを提供することにある。
【課題を解決するための手段】
【００１６】
上記目的を達成するために本発明のランダムアクセス通信方法は、
基地局と、前記基地局に対してランダムアクセス通信を行う複数の移動局とを有してなる移動通信システムにおけるランダムアクセス通信方法であって、
前記移動局が、ランダムアクセスデータの送信中に、前記ランダムアクセスデータの送信継続を要求する送信継続要求信号を前記基地局に対して送信する要求ステップと、
前記基地局が、前記移動局から前記送信継続要求信号を受信した場合に、現在の通信状況に応じて、前記ランダムアクセスデータの送信継続を許可するか否かを判定する判定ステップと、
前記基地局が、前記ランダムアクセスデータの送信継続を許可するか否かに応じて、送信継続許可信号または送信継続不許可信号を前記移動局に対して送信する許可ステップと、
前記移動局が、前記基地局から前記送信継続許可信号を受信した場合に、前記ランダムアクセスデータの送信を継続する継続ステップとを有することを特徴とする。
【００１７】
上記目的を達成するために本発明の移動通信システムは、
基地局と、前記基地局に対してランダムアクセス通信を行う複数の移動局とを有してなる移動通信システムであって、
前記移動局は、
前記基地局と無線通信を行う移動局通信部と、
ランダムアクセスデータの送信中に、前記移動局通信部を制御して、前記ランダムアクセスデータの送信継続を要求する送信継続要求信号を前記基地局に対して送信し、前記基地局からの前記ランダムアクセスデータの送信継続を許可する送信継続許可信号が前記移動局通信部に受信された場合に、前記移動局通信部を制御して、前記ランダムアクセスデータの送信を継続する移動局ランダムアクセス制御部とを有し、
前記基地局は、
前記移動局と無線通信を行う基地局通信部と、
前記移動局からの前記送信継続要求信号が前記基地局通信部に受信された場合に、現在の通信状況に基づいて前記ランダムアクセスデータの送信継続を許可するか否かを判定し、送信継続を許可するか否かに応じて、前記基地局通信部を制御して、送信継続許可信号または送信継続不許可信号を前記移動局に対して送信する基地局ランダムアクセス制御部とを有することを特徴とする。
【発明の効果】
【００１８】
以上説明したように本発明によれば、移動局は、ランダムアクセスデータの送信中に、送信継続要求信号を基地局に対して送信し、基地局は、現在の通信状況を基にして送信継続を許可する場合は、送信継続許可信号を移動局に対して送信し、移動局は、基地局から送信継続許可信号を受信した場合は、ランダムアクセスデータの送信を継続する。
【００１９】
したがって、現在の通信状況に応じて、移動局から基地局に対して送信されるランダムアクセスデータのデータ長を可変にできるため、ランダムアクセス用無線チャネルの使用効率を向上させることができるという効果を奏する。
【発明を実施するための最良の形態】
【００２０】
以下に、本発明を実施するための最良の形態について図面を参照して説明する。
【００２１】
図１は、本発明の一実施形態の移動通信システムの構成を示す図である。
【００２２】
図１を参照すると、本実施形態の移動通信システムは、基地局１０と、複数の移動局２０とを有している。
【００２３】
なお、図１は、本発明を一般的なＣＤＭＡ方式の携帯電話システムに適用した場合の例を示しているが、本発明は携帯電話システムに限定されない。
【００２４】
また、本発明の前提として、移動局２０は、ランダムアクセス通信の開始前に、基地局１０に関する情報を含む制御信号を、基地局１０から予め受信しているものとする。
【００２５】
以下、図１に示した本実施形態の移動通信システムにおけるランダムアクセス通信方法について、図２〜図４を参照して説明する。
【００２６】
図２〜図４を参照すると、移動局２０は、基地局１０に対して送信すべきランダムアクセスデータが発生すると（ステップ４０１）、ランダムアクセスデータの送信前に、基地局１０との間で予め決められた送信開始要求信号を基地局１０に対して送信する（ステップ４０２）。
【００２７】
基地局１０は、移動局２０から送信開始要求信号を受信した場合（ステップ４０３）、ランダムアクセスデータの送信を許可するか否かを判定し（ステップ４０４）、その判定結果に応じて送信開始許可信号または送信開始不許可信号を移動局２０に対して送信する（ステップ４０５，４０６）。
【００２８】
移動局２０は、基地局１０から送信開始不許可信号を受信した場合や（ステップ４０７）、一定時間が経過しても基地局１０から送信開始許可信号を受信できない場合は（ステップ４０９）、基地局１０から送信開始許可信号を受信できるまで、基地局１０に対して繰り返し送信開始要求信号を送信する。
【００２９】
一方、移動局２０は、基地局１０から送信開始許可信号を受信した場合は（ステップ４０８）、基地局１０に対して、一定データ長のランダムアクセスデータの送信を開始し（ステップ４１０）、基地局１０は、ランダムアクセスデータの受信処理を行う（ステップ４１１）。
【００３０】
以上の処理については、図８および図９に示した従来のランダムアクセス通信方法と共通である。
【００３１】
続いて、移動局２０は、現在送信中の一定データ長のランダムアクセスデータの送信が完了した後も、まだ移動局２０にランダムアクセスデータが一定データ長以上残るか否かを判定する（ステップ４１２）。もし、一定データ長以上残る場合は、移動局２０は、ランダムアクセスデータの送信中に、基地局１０との間で予め決められた送信継続要求信号を基地局１０に対して送信する（ステップ４１３）。
【００３２】
なお、送信継続要求信号の送信方法は、ランダムアクセスデータの送信に用いている無線チャネルを用いて、ランダムアクセスデータの途中に埋め込む方法でも（図２および図３の場合）、別の無線チャネル（使用する拡散符号や周波数によって決まる無線チャネル）を用いる方法でも構わない。
【００３３】
基地局１０は、移動局２０から送信継続要求信号を受信した場合（ステップ４１４）、現在の通信状況に応じて、ランダムアクセスデータの送信継続を許可するか否かを判定し（ステップ４１５）、その判定結果に応じて送信継続許可信号または送信継続不許可信号を移動局２０に対して送信する（ステップ４１６，４１７）。
【００３４】
なお、ステップ４１５の判定においては、例えば、以下の情報を用いて現在の通信状況を判断することができる。ただし、以下の情報を必ずしも全て用いる必要はなく、どれか１つでも良い。
【００３５】
（１）別の移動局２０からの送信開始要求信号の受信状況
（２）当該移動局２０から受信しているランダムアクセスデータの受信品質
（３）当該移動局２０から今まで受信したランダムアクセスデータのデータ量
（１）を用いる場合には、別の移動局２０から送信開始要求信号を単位時間当たり、ある一定回数以上受信している場合には送信継続を許可せず、それ以外の場合は送信継続を許可するといった判定を想定している。
【００３６】
（２）を用いる場合には、当該移動局２０から受信しているランダムアクセスデータの誤り率がある一定数以上になっていれば、受信品質が悪いと判断して送信継続を許可せず、それ以外の場合は送信継続を許可するといった判定を想定している。
【００３７】
（３）を用いる場合には、当該移動局２０から受信しているランダムアクセスデータのデータ量がある一定データ長以上になっている場合は、無線チャネルを占有しすぎていると判断して送信継続を許可せず、それ以外の場合は送信継続を許可するといった判定を想定している。
【００３８】
移動局２０は、基地局１０から送信継続許可信号を受信した場合は（ステップ４１８）、現在送信中の一定データ長のランダムアクセスデータの送信が完了した後も、継続して基地局１０に対して一定データ長のランダムアクセスデータを送信する（ステップ４１９）。そして、その一定データ長のランダムアクセスデータの送信が完了した後も、まだ移動局２０にランダムアクセスデータが一定データ長以上残る場合は、移動局２０は、再度、基地局１０に対して送信継続要求信号を送信する。
【００３９】
一方、移動局２０は、基地局１０から送信継続不許可信号を受信した場合や（ステップ４２０。図２の状況（ａ）の場合）、一定時間が経過しても基地局１０から送信継続許可信号を受信できない場合は（ステップ４２１。図３の状況（ｂ）の場合）、現在送信中の一定データ長のランダムアクセスデータの送信が完了した後に、ランダムアクセスデータの送信を停止する（ステップ４２２）。
【００４０】
なお、現在送信中の一定データ長のランダムアクセスデータの送信が完了した後に、まだ移動局２０に残るランダムアクセスデータが一定データ長未満である場合は、移動局２０は、基地局１０に対して送信継続要求信号を送信することはせず、残ったランダムアクセスデータを全て送信し、ランダムアクセスデータの送信を完了する（ステップ４２３。図３の状況（ｃ）の場合）。
【００４１】
以下、上記動作を実現する基地局１０および移動局２０の構成について説明する。
【００４２】
図５は、図１に示した基地局１０の構成を示すブロック図である。
【００４３】
図５を参照すると、基地局１０は、アンテナ部１１と、無線変調部１２と、ベースバンド処理部１３と、共通制御部１４とを有している。また、ベースバンド処理部１３は、タイミング相関器１５と、ＲＡＫＥ受信機１６と、シンボルレート信号処理部１７と、拡散器１８と、基地局ランダムアクセス制御部１９とを有している。
【００４４】
すなわち、基地局１０は、一般的なＣＤＭＡ方式の基地局の基本構成に、基地局ランダムアクセス制御部１９を追加した構成となっている。
【００４５】
なお、アンテナ部１１、無線変調部１２、タイミング相関器１５、ＲＡＫＥ受信機１６、シンボルレート信号処理部１７、および拡散器１８が、移動局２０と無線通信を行う基地局通信部を構成している。
【００４６】
基地局ランダムアクセス制御部１９は、移動局２０から送信されてきた送信開始要求信号および送信継続要求信号を受けて、送信開始許可信号・送信開始不許可信号、送信継続許可信号・送信継続不許可信号の送信制御を、様々な情報を基に行う。
【００４７】
上記のように構成された基地局１０においては、移動局２０から送信されてきた各種信号（送信開始要求信号、送信継続要求信号等）は、アンテナ部１１で受信され、無線変調部１２でベースバンド信号に復調された後、タイミング相関器１５で検出処理が行われる。信号が検出された場合は、その旨の情報がＲＡＫＥ受信機１６およびシンボルレート信号処理部１７を経由して基地局ランダムアクセス制御部１９に通知される。基地局ランダムアクセス制御部１９は、移動局２０に対して送信することが決められた信号（送信開始許可信号、送信開始不許可信号、送信継続許可信号、送信継続不許可信号等）については、シンボルレート信号処理部１７に対して送信指示を行う。これらの信号は、シンボルレート信号処理部１７で当該信号を構成する符号列が生成され、拡散器１８で拡散処理され、無線変調部１２で変調処理が行われた後、アンテナ部１１から移動局２０に対して送信される。
【００４８】
また、移動局２０から送信されてきたランダムアクセスデータは、アンテナ部１１で受信され、無線変調部１２でベースバンド信号に復調された後、タイミング相関器１５で検出処理が行われる。そして、ランダムアクセスデータのパスタイミング情報は、ＲＡＫＥ受信機１６に設定される。その後、ランダムアクセスデータは、ＲＡＫＥ受信機１６で逆拡散処理およびパスダイバーシチ受信処理が行われ、シンボルレート信号処理部１７で誤り訂正処理およびデインターリーブ処理などが行われた後に、共通制御部１４を経由して上位装置に送出される。
【００４９】
図６は、図１に示した移動局２０の構成を示すブロック図である。
【００５０】
図６を参照すると、移動局２０は、アンテナ部２１と、無線変調部２２と、ベースバンド処理部２３と、共通制御部２４とを有している。また、ベースバンド処理部２３は、タイミング相関器２５と、ＲＡＫＥ受信機２６と、シンボルレート信号処理部２７と、拡散器２８と、移動局ランダムアクセス制御部２９とを有している。
【００５１】
すなわち、移動局２０は、一般的なＣＤＭＡ方式の移動局の基本構成に、移動局ランダムアクセス制御部２９を追加した構成となっている。
【００５２】
なお、アンテナ部２１、無線変調部２２、タイミング相関器２５、ＲＡＫＥ受信機２６、シンボルレート信号処理部２７、および拡散器２８が、基地局１０と無線通信を行う移動局通信部を構成している。
【００５３】
移動局ランダムアクセス制御部２９は、基地局１０から送信されてきた送信開始許可信号・送信開始不許可信号および送信継続許可信号・送信継続不許可信号を受けて、送信開始要求信号、送信継続要求信号、およびランダムアクセスデータの送信制御を、様々な情報を基に行う。
【００５４】
上記のように構成された移動局２０においては、基地局１０から送信されてきた各種信号（送信開始許可信号、送信開始不許可信号、送信継続許可信号、送信継続不許可信号等）は、アンテナ部２１で受信され、無線変調部２２でベースバンド信号に復調された後、タイミング相関器２５で検出処理が行われる。信号が検出された場合は、その旨の情報がＲＡＫＥ受信機２６およびシンボルレート信号処理部２７を経由して移動局ランダムアクセス制御部２９に通知される。移動局ランダムアクセス制御部２９は、基地局１０に対して送信することが決められた信号（送信開始要求信号、送信継続要求信号等）や、上位レイヤー処理部から共通制御部２４を経由して受信したランダムアクセスデータについては、シンボルレート信号処理部２７に対して送信指示を行う。すると、これらの信号等は、シンボルレート信号処理部２７で当該信号等を構成する符号列が生成され、拡散器２８で拡散処理され、無線変調部２２で変調処理が行われた後、アンテナ部２１から基地局１０に対して送信される。
【００５５】
上述したように従来のランダムアクセス通信方法においては、移動局は、基地局に対して一定データ長のランダムアクセスデータを送信する度に、基地局との間で送信開始の許可／不許可についてやり取りをしなければならなかったため、ランダムアクセスデータの送信に無駄な遅延が発生していた。
【００５６】
これに対して本実施形態においては、移動局２０は、ランダムアクセスデータの送信中に、送信継続要求信号を基地局１０に対して送信し、基地局１０は、現在の通信状況に応じて送信継続を許可するか否かを判定し、許可する場合に送信継続許可信号を移動局２０に対して送信し、移動局２０は、基地局１０から送信継続許可信号を受信した場合は、ランダムアクセスデータの送信を継続する。
【００５７】
したがって、現在の通信状況に応じて、移動局２０から基地局１０に対して送信されるランダムアクセスデータのデータ長を可変にできるため、例えば、移動局２０から基地局１０に対してランダムアクセスデータを連続して送信することもできるようになる。
【００５８】
よって、ランダムアクセス用無線チャネルを効率的に使用することができるため、従来の移動通信システムで発生していたような無駄な遅延を極力、小さくすることができる。
【００５９】
なお、本発明は、上記の携帯電話システムに限定されるものではなく、他の方式の移動通信システムにも適用可能である。また、本発明は、ランダムアクセスデータの“送信継続”に関する制御に特徴があるため、その前段で“送信開始”に関する制御がなく、いきなりランダムアクセスデータを送信してしまうような通信方式にも適用可能である。
【図面の簡単な説明】
【００６０】
【図１】本発明の移動通信システムの構成を示す図である。
【図２】図１に示した移動通信システムにおけるランダムアクセス通信方法の概要を説明する図である。
【図３】図１に示した移動通信システムにおけるランダムアクセス通信方法の概要を説明する図である。
【図４】図１に示した移動通信システムにおけるランダムアクセス通信方法の流れを説明するフローチャートである。
【図５】図１に示した基地局の構成を示すブロック図である。
【図６】図１に示した移動局の構成を示すブロック図である。
【図７】従来の移動通信システムにおけるランダムアクセス通信方法の概要を説明する図である。
【図８】従来の移動通信システムにおけるランダムアクセス通信方法の流れを説明するフローチャートである。
【符号の説明】
【００６１】
１０    基地局
１１    アンテナ部
１２    無線変調部
１３    ベースバンド処理部
１４    共通制御部
１５    タイミング相関器
１６    ＲＡＫＥ受信機
１７    シンボルレート信号処理部
１８    拡散器
１９    基地局ランダムアクセス制御部
２０    移動局
２１    アンテナ部
２２    無線変調部
２３    ベースバンド処理部
２４    共通制御部
２５    タイミング相関器
２６    ＲＡＫＥ受信機
２７    シンボルレート信号処理部
２８    拡散器
２９    移動局ランダムアクセス制御部
【図１】
2008124800.tif 000003
【図２】
2008124800.tif 000004
【図３】
2008124800.tif 000005
【図４】
2008124800.tif 000006
【図５】
2008124800.tif 000007
【図６】
2008124800.tif 000008
【図７】
2008124800.tif 000009
【図８】
2008124800.tif 000010